(57)【要約】【課題】  配線用ユニットケーブルの施工時の生産能力及び取り扱い性を向上させるとともに、良好な電気特性及び均一で適度な引留強度を維持しつつ、簡単な構成で配線用ユニットケーブルの軽量化、低価格化を図る。【解決手段】  開示されるジョイントボックスは、複数本のケーブルの端末を回路結線した複数の結線部を収容して絶縁保護するものである。このジョイントボックスでは、弾性材料からなり、各ケーブルがそれぞれ挿入されるケーブル挿入孔２６がそれぞれ穿設された複数のケーブル挿入部２５１〜２５１２が並列して構成されているとともに、端に位置するケーブル挿入部２５１を中心として他のケーブル挿入部２５２〜２５１２が巻き付け可能に構成されているケーブル挿入部材１１を備えている。【選択図】  図１
2008118764.tif 000002
【特許請求の範囲】
【請求項１】
複数本のケーブルの端末を回路結線した複数の結線部を収容して絶縁保護するジョイントボックスであって、
弾性材料からなり、各前記ケーブルがそれぞれ挿入されるケーブル挿入孔がそれぞれ穿設された複数のケーブル挿入部が並列して構成されているとともに、端に位置する前記ケーブル挿入部を中心として他の前記ケーブル挿入部が巻き付け可能に構成されているケーブル挿入部材を備えている
ことを特徴とするジョイントボックス。
【請求項２】
各前記ケーブル挿入部の前記巻き付けの際に外側に位置する面には、結束部材を案内する溝がそれぞれ穿設されている
ことを特徴とする請求項１に記載のジョイントボックス。
【請求項３】
各前記ケーブル挿入部の前記巻き付けの際に内側に位置する面には、挿入された前記ケーブルの脱落を防止するための返しがそれぞれ形成されている
ことを特徴とする請求項１又は２に記載のジョイントボックス。
【請求項４】
各前記ケーブル挿入部又は前記中心部に穿設された前記ケーブル挿入孔は、内面に対向する一対の平坦部を有している
ことを特徴とする請求項１乃至３のいずれかに記載のジョイントボックス。
【請求項５】
請求項１乃至４のいずれかに記載のケーブル挿入部材を構成する前記複数のケーブル挿入部にそれぞれ穿設された前記複数のケーブル挿入孔にそれぞれ挿入され、各端末が所定の経路同士となるように回路結線され、複数の結線部が形成されるとともに、端に位置する前記ケーブル挿入部を中心として他の前記ケーブル挿入部が巻き付けられ、結束部材により締結された複数本のケーブルを備え、
前記ジョイントボックスを構成するボックスカバーが被せられて前記複数の結線部が前記ボックスカバーに収容されて前記複数の結線部が絶縁保護されている
ことを特徴とする配線用ユニットケーブル。
【発明の詳細な説明】
【技術分野】
【０００１】
本発明は、電気配線工事において、複数本のケーブルを回路結線した複数の結線部を収容して絶縁保護するジョイントボックス及びこのジョイントボックスを備えた配線用ユニットケーブルに関する。
【背景技術】
【０００２】
近年、居間や寝室などの部屋ごとにユニット化した部屋ユニットを住宅メーカーの工場で製造し、それらを施工現場で施主の希望や敷地形状に応じて組み付けることにより、一つの家屋を完成させるプレハブ住宅工法が知られている。このプレハブ住宅工法では、部屋ユニットごとの配線も予め工場内で行っており、ジョイントボックスを備えた配線用ユニットケーブルを用いて完成後の家屋で配線を行うことにより屋内配線作業の簡素化を達成することができる。
【０００３】
図８は、上記した従来の配線用ユニットケーブルの外観構成例を示す斜視図、図９は、図８に示す従来の配線用ユニットケーブルの断面図である。この例における配線用ユニットケーブルでは、６００Ｖビニル絶縁ビニルシース平型ケーブル（以下、「ＶＶＦケーブル」と略称する。）１が複数本並列され、各々絶縁体２で被覆された導線３の端末が圧着スリーブ４を介して接続され、回路結線がされた後、絶縁チューブ５により各圧着スリーブ４間の絶縁がなされている。以上説明した各導線３の端末、各圧着スリーブ４及び各絶縁チューブ５により各結線部６がそれぞれ構成されている。
【０００４】
回路結線された複数の結線部６は、略倒立角枡状を呈するジョイントボックス本体７内に収容された後、絶縁性を有するエポキシ樹脂等の熱硬化性樹脂８がジョイントボックス本体７内に充填され、熱硬化性樹脂８が硬化することにより、各ＶＶＦケーブル１に引張強度を持たせるとともに、各結線部６の保護と絶縁及び各結線部６のジョイントボックス本体７内部ヘの固定が行われている（例えば、特許文献１参照。）。以下、この技術を第１の従来例と呼ぶ。
【０００５】
また、従来の配線用ユニットケーブルには、各ケーブルの端末を結線して形成した結線部を、ジョイントボックス本体と、このジョイントボックス本体に対して一体又は別体状態で係合するジョイントボックスカバーとの内部に収容することにより、上記結線部を外部に対して保護するものがある。この種の配線用ユニットケーブルでは、上記ジョイントボックス本体に、小径の引出側収容部と、この引出側収容部に連続する大径の収容部とを設け、上記引出側収容部には、２つの貫通孔と、これらの貫通孔を介して上記ジョイントボックス本体に一体化しかつ上記ケーブルを略双曲線形状に束ねる結束部材とを設けている（例えば、特許文献２参照。）。以下、この技術を第２の従来例と呼ぶ。
【０００６】
【特許文献１】登録実用新案第３００５９１２号公報 （第２頁、第１図）
【特許文献２】特開２００５−８０４４６号公報（請求項１，［００１７］〜［００３８］、図１）
【発明の開示】
【発明が解決しようとする課題】
【０００７】
上記した第１の従来例では、熱硬化性樹脂８の硬化時間が必然的に発生して生産能力を向上させることができず、安価で短いリードタイムでの製造が難しいという問題がある。また、配線用ユニットケーブルの製品完成後に結線に誤りが発覚しても、各結線部６が樹脂モールドされているために修復が不可能であり、配線用ユニットケーブルを廃棄して新たに製造し直すしかないという問題がある。さらに、配線用ユニットケーブルの内部全体が樹脂モールドされているため、樹脂注入装置及びモールド用の熱硬化性樹脂８が必要となるとともに、配線用ユニットケーブル全体の重量が重くなり、取り扱い性に影響を来しているという問題もある。
【０００８】
また、上記した第２の従来例では、ジョイントボックス本体とジョイントボックスカバーとの内部に収容された結束部材と直接接触しない内側のケーブルの引留力が低くなり、所定の強度を確保することができないという問題がある。
【０００９】
本発明は、上述した事情に鑑みてなされたものであり、上述のような課題を解決することができるジョイントボックス及び配線用ユニットケーブルを提供することを目的とする。
【課題を解決するための手段】
【００１０】
上記課題を解決するために、請求項１記載の発明に係るジョイントボックスは、複数本のケーブルの端末を回路結線した複数の結線部を収容して絶縁保護するジョイントボックスに係り、弾性材料からなり、各前記ケーブルがそれぞれ挿入されるケーブル挿入孔がそれぞれ穿設された複数のケーブル挿入部が並列して構成されているとともに、端に位置する前記ケーブル挿入部を中心として他の前記ケーブル挿入部が巻き付け可能に構成されているケーブル挿入部材を備えていることを特徴としている。
【００１１】
また、請求項２記載の発明は、請求項１に記載のジョイントボックスに係り、前記ケーブル挿入部の前記巻き付けの際に外側に位置する面には、結束部材を案内する溝がそれぞれ穿設されていることを特徴としている。
【００１２】
また、請求項３記載の発明は、請求項１又は２に記載のジョイントボックスに係り、各前記ケーブル挿入部の前記巻き付けの際に内側に位置する面には、挿入された前記ケーブルの脱落を防止するための返しがそれぞれ形成されていることを特徴としている。
【００１３】
また、請求項４記載の発明は、請求項１乃至３のいずれかに記載のジョイントボックスに係り、各前記ケーブル挿入部又は前記中心部に穿設された前記ケーブル挿入孔は、内面に対向する一対の平坦部を有していることを特徴としている。
【００１４】
また、請求項５記載の発明に係る配線用ユニットケーブルは、請求項１乃至４のいずれかに記載のケーブル挿入部材を構成する前記複数のケーブル挿入部にそれぞれ穿設された前記複数のケーブル挿入孔にそれぞれ挿入され、各端末が所定の経路同士となるように回路結線され、複数の結線部が形成されるとともに、端に位置する前記ケーブル挿入部を中心として他の前記ケーブル挿入部が巻き付けられ、結束部材により締結された複数本のケーブルを備え、前記ジョイントボックスを構成するボックスカバーが被せられて前記複数の結線部が前記ボックスカバーに収容されて前記複数の結線部が絶縁保護されていることを特徴としている。
【発明の効果】
【００１５】
本発明によれば、配線用ユニットケーブルの施工時の生産能力及び取り扱い性を向上させることができるとともに、良好な電気特性及び均一で適度な引留強度を維持しつつ、簡単な構成で配線用ユニットケーブルの軽量化、低価格化を図ることができる。
【発明を実施するための最良の形態】
【００１６】
実施の形態１．
図１は、本発明の実施の形態１に係るジョイントボックスを構成するケーブル挿入部材１１の外観構成を示す斜視図、図２は、図１に示すケーブル挿入部材１１を別の角度から見た斜視図である。また、図３は、上記ジョイントボックスを構成するボックスカバー１２の外観構成を示す斜視図、図４は、図１及び図２に示すケーブル挿入部材１１に複数本のＶＶＦケーブル１５を挿入した状態の外観構成を示す斜視図である。
【００１７】
さらに、図５は、図１及び図２に示すケーブル挿入部材１１に複数本のＶＶＦケーブル１５を挿入した後巻き付けて結束部材１３により締結した状態の外観構成を示す斜視図、図６は、本発明の実施の形態１に係る配線用ユニットケーブルの外観構成を示す斜視図である。また、図７は、本発明の実施の形態１に係る配線用ユニットケーブルの外観構成を示す透視斜視図である。
【００１８】
ジョイントボックスは、ケーブル挿入部材１１と、ボックスカバー１２と、結束部材１３及び１４とから構成されている。図１及び図２に示すケーブル挿入部材１１は、例えば、天然ゴム又はシリコンゴム等の弾性変形しやすい材料（弾性材料）からなる。ケーブル挿入部材１１は、中心部２１と、巻き付け部２２とが一体に形成されて構成されている。
【００１９】
中心部２１は、略円筒形状を呈している。中心部２１の端面略中央には、内面に対向する一対の平坦部２３ａを有するケーブル挿入孔２３が穿設されている。ケーブル挿入孔２３の内周は、挿入されるべきＶＶＦケーブル１５の外周よりわずかに小さい。また、中心部２１には、ケーブル挿入孔２３の２つの円弧部２３ｂ及び２３ｃのうち、中心部２１が接続部２４を介して巻き付け部２２と接続する側とは反対側に位置する円弧部２３ｂ中央内周から中心部２１の外周にまで達して、ケーブル挿入孔２３を外部と連通させる切断部２３ｄが形成されている。従って、ケーブル挿入孔２３にその外周がケーブル挿入孔２３の内周よりわずかに大きいＶＶＦケーブル１５が挿入された場合には、切断部２３ｄの対向する切断面間の距離がわずかに広がるとともに、中心部２１の弾性力によりＶＶＦケーブル１５の周面が押圧されてＶＶＦケーブル１５の脱落が防止される。
【００２０】
巻き付け部２２は、中心部２１とは、中心部２１の円弧部２３ｃ近傍の外周と接続部２４を介して接続されている。この接続は、中心部２１に穿設された上記ケーブル挿入孔２３の上記一対の平坦部２３ａと、巻き付け部２２を構成する計１２個のケーブル挿入部２５１〜２５１２のそれぞれに穿設された各ケーブル挿入孔２６の各一対の平坦部２６ａ（いずれも後述）とが平行となるように、なされている。
【００２１】
巻き付け部２２は、同一形状を呈するケーブル挿入部２５１〜２５１２が並列して一体に接続されて構成されている。なお、ケーブル挿入部２５１〜２５１２を総称するときは、単に、「ケーブル挿入部２５」と称する。各ケーブル挿入部２５の端面略中央には、それぞれ、内面に対向する一対の平坦部２６ａを有するケーブル挿入孔２６が穿設されている。各ケーブル挿入孔２６の内周は、挿入されるべきＶＶＦケーブル１５の外周よりわずかに小さい。
【００２２】
また、各ケーブル挿入部２５の各上部２５ａには、各ケーブル挿入孔２６の内周から各上部２５ａの上面にまで達して、各ケーブル挿入孔２６を外部と連通させる切断部２５ｃが形成されている。各ケーブル挿入部２５の各上部２５ａには、断面略台形状を呈する一対の返し２５ｄが形成されている。各一対の返し２５ｄは、それぞれが接続する各ケーブル挿入部２５の各端部から斜めに立ち上がった後互いに向かってわずかに延伸し、対向する切断部２５ｃに向かって立ち下がり、当該切断部２５ｃを挟んで対向するように構成されている。
【００２３】
以上説明したように、各ケーブル挿入部２５では、上記切断部２５ｃ及び一対の返し２５ｄが形成されているため、各ケーブル挿入孔２６にその外周がケーブル挿入孔２６の内周よりわずかに大きいＶＶＦケーブル１５が各上部２５ａ側から切断部２５ｃの対向する切断面間を押し開くように挿入された場合には、各ケーブル挿入部２５の弾性力によりＶＶＦケーブル１５の周面が押圧されるとともに、一対の返し２５ｄの弾性力によりＶＶＦケーブル１５の周面上部が押圧されてＶＶＦケーブル１５の各上部２５ａ側への脱落が防止される。
【００２４】
また、巻き付け部２２の下部２２ａにおいては、隣接するケーブル挿入部２５の間には、断面略Ｖ字状を呈する溝２７が穿設されている。各ケーブル挿入部２５の各下面２５ｂには、略中央に、断面略倒立台形状を呈する溝２８が穿設されている。溝２８は、溝２７を挟んで巻き付け部２２の長手方向（各ケーブル挿入部２５が並列する方向）に連続するように穿設されている。各溝２８の底面の幅は、後述する結束部材１３の幅よりわずかに広い。各溝２８は、ケーブル挿入部材１１を構成する中心部２１のケーブル挿入孔２３及び巻き付け部２２の各ケーブル挿入孔２６にそれぞれＶＶＦケーブル１５が挿入された後、中心部２１を中心として巻き付け部２２が巻き付けられた状態において、結束部材１３により締結する際の案内となるとともに、結束部材１３の脱落を防止する機能も有している。
【００２５】
図３に示すボックスカバー１２は、例えば、透明な合成樹脂からなる。ボックスカバー１２は、複数の結線部１７を収容し、保護する形状、寸法を有する収容部３１と、配線用ユニットケーブルを造営材や根太等の建物構造物に固定するためのボックス固定部３２と、収容部３１とボックス固定部３２とを連結する連結部３３と、複数本のＶＶＦケーブル１５を結束部材１４によりこのボックスカバー１２に固定するためのケーブル固定部３４とが一体に形成されて構成されている。
【００２６】
収容部３１は、上端３１ａが塞がれ、下端３１ｂが開口した略円筒状を呈している。ボックス固定部３２は、略矩形板状を呈しており、収容部３１の外形直径と略同一幅を有している。ボックス固定部３２は、略矩形板状を呈する基部３２ａの上端から上側に突出する凸部３２ｂが基部３２ａと一体に形成されている。凸部３２ｂの略中央には、略円形状を呈する貫通孔３２ｂａが穿設されている。貫通孔３２ｂａは、配線用ユニットケーブルを根太等の建物構造物に固定する際に、例えば、ボルト等が挿入される。また、凸部３２ｂには、貫通孔３２ｂａを中心とした対称な位置に、貫通孔３２ｂｂ及び３２ｂｃがそれぞれ穿設されている。貫通孔３２ｂｂ及び３２ｂｃは、いずれも、略円形状を呈する円形貫通部と略Ｕ字状を呈するＵ字形貫通部とが円形貫通部の上部で連結している。貫通孔３２ｂｂ及び３２ｂｃは、配線用ユニットケーブルを造営材に取り付ける際に、例えば、結束部材が挿入される。
【００２７】
また、ボックス固定部３２は、基部３２ａの左右端の各略中央に、それぞれ外側に突出する凸部３２ｃ及び３２ｄが基部３２ａとそれぞれ一体に形成されている。凸部３２ｃ及び３２ｄの各略中央には、略円形状を呈する貫通孔３２ｃａ及び３２ｄａがそれぞれ穿設されている。貫通孔３２ｃａ及び３２ｄａは、配線用ユニットケーブルを根太等の建物構造物に固定する際に、例えば、ボルト等がそれぞれ挿入される。
【００２８】
また、凸部３２ｃには、貫通孔３２ｃａを中心とした対称な位置に、貫通孔３２ｃｂ及び３２ｃｃがそれぞれ穿設されている。同様に、凸部３２ｄには、貫通孔３２ｄａを中心とした対称な位置に、貫通孔３２ｄｂ及び３２ｄｃがそれぞれ穿設されている。貫通孔３２ｃｂ及び３２ｃｃは、いずれも、略円形状を呈する円形貫通部と略Ｕ字状を呈するＵ字形貫通部とが円形貫通部の右部で連結している。一方、貫通孔３２ｄｂ及び３２ｄｃは、いずれも、略円形状を呈する円形貫通部と略Ｕ字状を呈するＵ字形貫通部とが円形貫通部の左部で連結している。貫通孔３２ｃｂ及び３２ｃｃ並びに貫通孔３２ｄｂ及び３２ｄｃは、それぞれ配線用ユニットケーブルを造営材に取り付ける際に、例えば、結束部材が挿入される。
【００２９】
さらに、ボックス固定部３２の背面略中央には、いずれも略Ｕ字状を呈する溝３２ｅ及び３２ｆが互いに直交するように形成されている。溝３２ｅは、凸部３２の背面上端からボックス固定部３２の基部３２ａの背面下端３２ａａまで到達している。一方、溝３２ｆは、凸部３２ｃの背面右端から凸部３２ｄの背面左端まで到達している。
【００３０】
また、ケーブル固定部３４は、断面が略円弧状を呈している。ケーブル固定部３４は、収容部３１の下端に接続され、収容部３１と一体に形成されている。ケーブル固定部３４の右端３４ａ近傍及び左端３４ｂ近傍には、内面に対向する一対の平坦部３５ａを有する一対の貫通孔３５が穿設されている。一対の貫通孔３５には、上記結束部材１４が取り付けられるように構成されている。結束部材１４は、複数本のＶＶＦケーブル１５を束ねるための既知の部材であって、そのＶＶＦケーブル１５を構成するシース４１の上から巻き付けられるようになっている（図６及び図７参照）。
【００３１】
次に、上記構成のジョイントボックスを用いて、本実施の形態１に係る配線用ユニットケーブルを組み立てる方法について説明する。
（１）まず、結線すべき最大１３本のＶＶＦケーブル１５を、図４に示すように、ケーブル挿入部材１１を構成する巻き付け部２２のケーブル挿入部２５１〜２５１２のケーブル挿入孔２６及び、必要に応じて、同じくケーブル挿入部材１１を構成する中心部２１のケーブル挿入孔２３にそれぞれ挿入する。なお、各ＶＶＦケーブル１５をケーブル挿入部２５１〜２５１２又はケーブル挿入孔２３にそれぞれ挿入する前に、各ＶＶＦケーブル１５の各端末のシース４１及び絶縁体４３を剥がして導体４４を露出させる処理（端末加工）を施しておいても良い。
【００３２】
（２）次に、ケーブル挿入部材１１の巻き付け部２２を中心部２１を中心として巻き付けた後、図５に示すように、結束部材１３を巻き付け部２２を構成するケーブル挿入部２５１〜２５１２の各下面２５ｂに穿設された溝２８に沿わせて締結する。これにより、すべてのＶＶＦケーブル１５がケーブル挿入部材１１を介して結束部材１３により強固かつ確実に締結固定され、均一で適度な引留強度を確保することができる。即ち、すべてのＶＶＦケーブル１５に一定以上の均一な圧力が加えられ、結束部材１３の締結による圧力が一部のＶＶＦケーブル１５に集中することがない。これは、以下に示す理由による。
【００３３】
即ち、上記したように、ケーブル挿入部材１１を構成する巻き付け部２２は、同一形状を呈するケーブル挿入部２５１〜２５１２が並列して一体に接続されて構成されている。従って、ケーブル挿入部材１１の巻き付け部２２を中心部２１を中心として巻き付けた後、結束部材１３が形成する円の直径を小さくするように締め付けることにより、各ケーブル挿入部２５にそれぞれ穿設されたケーブル挿入孔２６に挿入された各ＶＶＦケーブル１５のそれぞれ平坦部が当該ケーブル挿入孔２６の平坦部２６ａに密着するとともに、ＶＶＦケーブル１５が挿入されたすべてのケーブル挿入部２５の上部２５ａが中心部２１の周面に同時に密着する。これにより、すべてのＶＶＦケーブル１５に一定以上の均一な圧力が加えられ、結束部材１３の締結による圧力が一部のＶＶＦケーブル１５に集中することがないのである。
【００３４】
（３）次に、各ＶＶＦケーブル１５について上記端末加工を施す。次に、各絶縁心線４２の端末から露出したそれぞれの導体４４を所定の経路同士となるように電線コネクタ１６等を用いて回路結線することにより、複数の結線部１７を形成する。電線コネクタ１６は、絶縁性を有しており、他の電線コネクタ１６等に接触しても電気的な導通が得られないように形成されている。なお、電線コネクタ１６に換えて、絶縁性を有する既知の絶縁チューブ、圧着スリーブを用いても良い。
【００３５】
（４）次に、以上説明した（１）〜（３）の処理を施した状態にあるものを、図３に示すボックスカバー１２を構成する収容部３１の下端３１ｂの開口部から挿入する。従って、ケーブル挿入部材１１の背面側に突出させる各ＶＶＦケーブル１４の長さ（図４参照）は、図６及び図７に示すように、電線コネクタ１６等の先端から結束部材１４で締結されたケーブル挿入部材１１の大部分がボックスカバー１２を構成する収容部３１に収容可能な長さとする。
【００３６】
（５）次に、以上説明した（１）〜（３）の処理を施した状態にあるものをボックスカバー１２を構成する収容部３１の内部に収容保持した状態において、結束部材１４を構成するバンド部の先端部をボックスカバー１２を構成するケーブル固定部３４に穿設された一対の貫通孔３５の一方にケーブル固定部３４の背面側から挿入し、すべてのＶＶＦケーブル１５を上記バンド部で囲みつつ、上記一対の貫通孔３５の他方にケーブル固定部３４の正面側から挿入する。次に、上記一対の貫通孔３５の他方からケーブル固定部３４の背面側に現れた上記結束部材１４の先端部を、結束部材１４を構成する結束部に穿設された挿通孔に挿通して所定位置で係止する。これにより、以上説明した（１）〜（３）の処理を施した状態にあるものがケーブル固定部３４に固定される。従って、図６及び図７に示すように、ボックスカバー１２を構成する収容部３１内に複数の結線部１７が収容され、絶縁保護され、配線用ユニットケーブルの組み立てが完成する。
【００３７】
この際、結束部材１４は、複数本のＶＶＦケーブル１５のうち、ボックスカバー１２を構成する収容部３１から露出した部分のみと接触している。しかし、複数本のＶＶＦケーブル１５のうち、電線コネクタ１６等により回路結線され、上記収容部３１に収容されている部分については、ケーブル挿入部材１１及び結束部材１３により収容部３１から露出した部分と一体化されている。従って、複数本のＶＶＦケーブル１５は、ケーブル挿入部材１１並びに結束部材１３及び１４により、ボックスカバー１２に均一に引き留められている。
【００３８】
次に、点検のために透明な合成樹脂からなるボックスカバー１２の外側から目視した結果、配線用ユニットケーブルの製品完成後に結線に誤りが発覚した場合には、例えば、ニッパ等の工具を用いて結束部材１４を切断することにより、ボックスカバー１２を簡単に取り外すことができる。これにより、誤配線の修復が可能であり、屋内配線を短時間で終了させることができる。
【００３９】
このように、本発明の実施の形態１によれば、すべてのＶＶＦケーブル１５を弾性部材からなるケーブル挿入部材１１を構成する中心部２１に穿設されたケーブル挿入孔２３及び、同じくケーブル挿入部材１１を構成する巻き付け部２２のケーブル挿入部２５に穿設されたケーブル挿入孔２６に挿入した後、中心部２１を中心として巻き付け部２２を巻き付け、結束部材１３で締め付けて固定している。従って、従来の配線用ユニットケーブルと比べて、簡単、かつ、軽量な構成で、従来と同等の電気性能と適度な引留強度を持たせることができる。
【００４０】
また、本発明の実施の形態１によれば、配線用ユニットケーブルの組立時には、特別な治工具や特別な組立装置を使用する必要もなく、簡単に組み立てることができる。さらに、本発明の実施の形態１によれば、回路結線を行った後はボックスカバー１２を被せるだけであり、上記した第１の従来例のように熱硬化性樹脂８でモールドする必要はない。従って、生産能力を向上させることができ、安価で短いリードタイムでの製造がしやすいとともに、従来品よりも軽量になるため、施工時の取り扱い性が向上する。
【００４１】
さらに、本発明の実施の形態１によれば、点検のために透明な合成樹脂からなるボックスカバー１２の外側から目視した結果、配線用ユニットケーブルの製品完成後に結線に誤りが発覚した場合でも、結束部材１４を切断するだけでボックスカバー１２を取り外すことができる。従って、誤配線の修復が可能であり、上記した第１の従来例のように、配線用ユニットケーブルを廃棄して新たに製造し直す必要がないので、屋内配線を短時間で終了させることができる。
【００４２】
また、本発明の実施の形態１によれば、ケーブル挿入部材１１の巻き付け部２２を中心部２１を中心として巻き付けた後、結束部材１３を巻き付け部２２を構成するケーブル挿入部２５１〜２５１２の各下面２５ｂに穿設された溝２８に沿わせて締結することにより、すべてのＶＶＦケーブル１５がケーブル挿入部材１１を介して結束部材１３により強固かつ確実に締結固定され、均一で適度な引留強度を確保することができる。即ち、すべてのＶＶＦケーブル１５に一定以上の均一な圧力が加えられ、結束部材１３の締結による圧力が一部のＶＶＦケーブル１５に集中することがない。
【００４３】
実施の形態２．
上述の実施の形態１では、ボックスカバー１２は、収容部３１と、ボックス固定部３２と、連結部３３と、ケーブル固定部３４とが一体に形成されて構成されている例を示したが、これに限定されない。収容部は、複数本のＶＶＦケーブルが差し込まれる方向の面と、複数本のＶＶＦケーブルが引き出される方向の面とが開放された略箱形状を呈する本体と、中空略蒲鉾形状を呈し、上記本体とヒンジを介して連成されるか又は上記本体とは別体で着脱自在に構成されることにより上記本体に対して開閉自在に係合して複数本のＶＶＦケーブルが差し込まれる方向の面を覆うカバーとにより構成しても良い。なお、このような形状を呈している収容部の構成の詳細については、例えば、特開２００５−８０４４６号公報の段落［００１８］〜［００３１］及び図１〜図５におけるジョイントボックス本体及びジョイントボックスカバーに関する記載を参照されたい。このように構成すれば、上述した実施の形態１と略同様の効果を得ることができる。
【００４４】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述の各実施の形態では、ケーブルは、ＶＶＦケーブル１５である例を示したが、これに限定されない。ケーブルは、絶縁材からなるシースと、絶縁材からなる被覆と、導体とから構成されていれば、絶縁材及び導体の材質並びに心線の本数などはどのようなものでも良い。
また、上述の各実施の形態では、ケーブル挿入部材１１を構成する中心部２１にケーブル挿入孔２３を穿設する例を示したが、これに限定されない。中心部２１は、例えば、ケーブル挿入孔２３を穿設せず、略円柱状を呈している構成としても良い。さらに、ケーブル挿入部材１１は、巻き取り部２２だけで構成し、ケーブル挿入部２５１又は２５１２のいずれかを中心として巻き付けるように構成しても良い。
【図面の簡単な説明】
【００４５】
【図１】本発明の実施の形態１に係るジョイントボックスを構成するケーブル挿入部材の外観構成を示す斜視図である。
【図２】図１に示すケーブル挿入部材を別の角度から見た斜視図である。
【図３】本発明の実施の形態１に係るジョイントボックスを構成するボックスカバーの外観構成を示す斜視図である。
【図４】図１及び図２に示すケーブル挿入部材に複数本のＶＶＦケーブルを挿入した状態の外観構成を示す斜視図である。
【図５】図１及び図２に示すケーブル挿入部材に複数本のＶＶＦケーブルを挿入した後巻き付けて結束部材により締結した状態の外観構成を示す斜視図である。
【図６】本発明の実施の形態１に係る配線用ユニットケーブルの外観構成を示す斜視図である。
【図７】本発明の実施の形態１に係る配線用ユニットケーブルの外観構成を示す透視斜視図である。
【図８】従来の配線用ユニットケーブルの外観構成例を示す斜視図である。
【図９】図８に示す従来の配線用ユニットケーブルの断面図である。
【符号の説明】
【００４６】
１１  ケーブル挿入部材
１２  ボックスカバー
１３，１４  結束部材
１５  ＶＶＦケーブル
１６  電線コネクタ
１７  結線部
２１  中心部
２２  巻き付け部
２３，２６  ケーブル挿入孔
２３ａ，２６ａ，３５ａ  平坦部
２３ｂ，２３ｃ  円弧部
２３ｄ，２５ｃ  切断部
２４  接続部
２５１〜２５１２  ケーブル挿入部
２５ａ  上部
２５ｂ  下面
２５ｄ  返し
２７，２８，３２ｅ，３２ｆ  溝
３１  収容部
３１ａ  上端
３１ｂ  下端
３２  ボックス固定部
３２ａ  基部
３２ａａ  下端
３２ｂ，３２ｃ，３２ｄ  凸部
３２ｂａ，３２ｂｂ，３２ｂｃ，３２ｃａ，３２ｃｂ，３２ｃｃ，３２ｄａ，３２ｄｂ，３２ｄｃ，３５  貫通孔
３３  連結部
３４  ケーブル固定部
３４ａ  右端
３４ｂ  左端
４１  シース
４２  絶縁心線
４３  絶縁体
４４  導体
【図１】
2008118764.tif 000003
【図２】
2008118764.tif 000004
【図３】
2008118764.tif 000005
【図４】
2008118764.tif 000006
【図５】
2008118764.tif 000007
【図６】
2008118764.tif 000008
【図７】
2008118764.tif 000009
【図８】
2008118764.tif 000010
【図９】
2008118764.tif 000011